(57)【要約】【課題】盗難に対する抑止力を高めることができ、又、その操作性に関してユーザの要求に柔軟に対応できる車載用電子機器を提供する。【解決手段】カーオーディオ本体１００と、操作パネル１０とを有し、カーオーディオ本体１００は、操作パネル１０に記憶された情報を記憶する外部メモリ１２０を有し、操作パネル１０をカーオーディオ本体１００から取り外す際のカーオーディオ本体１００の通電状態に応じて、操作パネル１０内に記憶された情報の外部メモリ１２０への書き込みを制御する。【選択図】図５
2007326463.tif 000002
【特許請求の範囲】
【請求項１】
電子機器本体と、前記電子機器本体の前面に着脱可能に設けられた操作パネルとを有する車載用電子機器であって、
前記電子機器本体は、前記操作パネルに記憶された情報を記憶する記憶手段と、
前記操作パネルを前記電子機器本体から取り外す際の前記電子機器本体の通電状態に応じて、前記操作パネル内に記憶された情報の前記記憶手段への書き込みを制御する制御手段とを有することを特徴とする車載用電子機器。
【請求項２】
前記電子機器本体は、前記操作パネルによる前記電子機器本体の操作を可能にするための認証手段を有することを特徴とする請求項１に記載の車載用電子機器。
【請求項３】
前記認証手段は、前記操作パネルと前記電子機器本体とに保持された認証情報を照合して、両者が一致する場合にのみ前記操作パネルによる前記電子機器本体の操作を可能にすることを特徴とする請求項２に記載の車載用電子機器。
【請求項４】
前記認証手段は、前記操作パネルの操作情報に基づいて前記認証情報を形成することを特徴とする請求項３に記載の車載用電子機器。
【請求項５】
前記認証手段は、前記操作パネルの操作に応じて前記操作パネル及び前記電子機器本体に保持された認証情報を更新する、ことを特徴とする請求項４に記載の車載用電子機器。
【請求項６】
前記操作パネルは、その操作により形成された前記電子機器本体の動作環境情報を保持しており、
前記電子機器本体は、前記操作パネルが装着されると、その動作環境を前記動作環境情報に応じて設定する、ことを特徴とする請求項１ないし５のいずれかに記載の車載用電子機器。
【発明の詳細な説明】
【技術分野】
【０００１】
本発明は、カーオーディオ、カーナビゲーション等の車載用電子機器に関する。
【背景技術】
【０００２】
カーオーディオの分野では、盗難防止対策等の観点から、装置の前面を構成する操作パネルを着脱可能にしたものが知られている（例えば、特許文献１等参照）。降車の際に、操作パネルを車外に持ち出すことにより、カーオーディオの使用が不可能になるため、盗難を未然に防ぐことができる。
【特許文献１】特開２００３−７０４１号公報
【発明の開示】
【発明が解決しようとする課題】
【０００３】
ところで、上記のように操作パネルを本体に対して着脱可能に設けたとしても、カーオーディオ本体が盗難されると、カーオーディオ本体に別の操作パネルを設ければ使用することができるので、盗難防止対策として十分ではなく、より安全性を高める必要がある。
一方、盗難防止の観点とは別に、ユーザのカーオーディオに要求する機能は多様化しており、画一的な操作パネルにより多種多様なユーザの要求を満足させることは困難であるという問題もある。例えば、家族がオーディオを使用する場合、使用するユーザによって要求する機能が異なる。具体的には、祖父母、父母、兄弟、姉妹等では年齢的に必要とする機能も異なる。
【０００４】
本発明は、上記の事情に鑑みて成されたものであり、その目的とするところは、盗難に対する抑止力を高めることができ、又、その操作性に関してユーザの要求に柔軟に対応できる車載用電子機器を提供することにある。
【課題を解決するための手段】
【０００５】
本発明は、電子機器本体と、電子機器本体の前面に着脱可能に設けられた操作パネルとを有する車載用電子機器であって、電子機器本体は、操作パネルに記憶された情報を記憶する記憶手段と、操作パネルを電子機器本体から取り外す際の電子機器本体の通電状態に応じて、操作パネル内に記憶された情報の記憶手段への書き込みを制御する制御手段とを有することを特徴としている。
この構成によれば、操作パネルを電子機器本体から取り外す際の電子機器本体の通電状態に応じて操作パネル内に記憶された情報が電子機器本体の記憶手段に記憶される。例えば、操作パネルを電子機器本体から取り外す際に、電子機器本体がオン状態である場合に、操作パネル内に記憶された情報が機器本体の記憶手段に記憶されるので、その後、異なる操作パネルを電子機器本体に装着しても、以前の操作パネルの情報が電子機器本体のメモリに記憶されているので、操作パネル内に記憶された情報が認証情報である場合にはセキュリティ機能を発揮させることができる。また、操作パネルを電子機器本体から取り外す際に電子機器本体がオフ状態である場合に、操作パネル内に記憶された情報を機器本体の記憶手段に記憶する構成としても同様である。さらに、操作パネル内に記憶された情報が動作環境に関する情報であれば、認証の場合と同様に、動作環境が記憶手段に記憶されるので、操作パネル毎に環境設定を自動に行うことができる。
【０００６】
上記構成において、電子機器本体は、操作パネルによる電子機器本体の操作を可能にするための認証手段を有する、構成を採用できる。
この構成によれば、着脱可能な操作パネルにより電子機器本体を操作する際に、認証手段による認証が無ければ操作できないので、盗難の抑止力を高めることができる。
【０００７】
上記構成において、認証手段は、操作パネルと電子機器本体とに保持された認証情報を照合して、両者が一致する場合にのみ操作パネルによる電子機器本体の操作を可能にする、構成を採用できる。
また、上記構成において、認証手段は、操作パネルの操作情報に基づいて認証情報を形成する、構成を採用できる。
さらに、上記構成において、認証手段は、操作パネルの操作に応じて操作パネル及び電子機器本体に保持された認証情報を更新する、構成を採用できる。
これらの構成によれば、操作パネルの操作情報に基づいて認証情報を形成するので、各ユーザ特有の認証情報を形成でき、また、操作に応じて認証情報を更新することにより、認証情報を変化させることができるので、認証情報の偽造等を非常に困難にすることができ、盗難の抑止力をさらに高めることができる。
【０００８】
上記構成において、操作パネルは、その操作により形成された電子機器本体の動作環境情報を保持しており、電子機器本体は、操作パネルが装着されると、その動作環境を動作環境情報に応じて設定する、構成を採用できる。
この構成によれば、操作パネル側に動作環境情報を保持させたので、操作パネル毎に環境設定を自動的に行うことができる。
【発明の効果】
【０００９】
本発明によれば、盗難に対する抑制力を高めることができ、又、操作性に関するユーザの多様な要求に柔軟に対応できる車載用電子機器が得られる。
【発明を実施するための最良の形態】
【００１０】
以下、本発明の最良の実施形態について、添付図面を参照しつつ説明する。
図１ないし図５は本発明の一実施形態に係るカーオーディオを示す図であって、図１はカーオーディオの外観斜視図、図２はカーオーディオの正面図、図３はカーオーディオの操作パネルを取り外した状態の外観斜視図、図４は複数の操作パネルの例を示す正面図、及び図５はカーオーディオの機能ブロック図である。
【００１１】
図１ないし図３に示すように、直方体形状の外形を有するカーオーディオ本体１００と、カーオーディオ本体１００の前面を覆うように設けられてカーオーディオの前面を構成する操作パネル１０等から構成される。
操作パネル１０は、図１ないし図３に示すように、操作ボタン・スイッチ群５０、取り外し用ボタン等をその前面に備えると共に、コンパクトディスク（ＣＤ）の挿入口１１を備えている。
操作パネル１０は、図示しない装着機構により、カーオーディオ本体１００の前面に装着されると共に、後述するコネクタＣＮ１，ＣＮ２の接続によりカーオーディオ本体１００と電気的に接続される。そして、取り外し用ボタン１５を操作すると、図３に示すようにカーオーディオ本体１００の前面からワンタッチ式に取り外せるようになっている。
【００１２】
操作パネル１０は、例えば、図４に示すように、操作機能が異なる複数の操作パネル１０Ａ〜１０Ｄから選択でき、カーオーディオ本体１００は、複数の操作パネル１０Ａ〜１０Ｄとの間で互換性を有する。
【００１３】
操作パネル１０Ａは、図４（Ａ）に示すように、上記の操作ボタン・スイッチ群５０が、電源スイッチ５１、音量調整用のボリュームスイッチ５２、ラジオチューナのモード選択スイッチ５３、ＣＤのトラック選択やチューナ選局用のボタン５４、ＣＤイジェクト用のボタン５６、ＣＤのトラックナンバのスキャン等をプリセットするためのボタン５７、ミュート用のボタン５８、自動選局用のボタン５９、音バランス／フェーダ用のボタン６０、イコライザ用のボタン６１、ＤＳＰ（デジタルシグナルプロセッサ）選択用のボタン６２、ディスプレイ用のボタン６３、イルミネーション選択用のボタン６４等から構成されており、４種類の操作パネル１０Ａ〜１０Ｄの中で一番多くの操作機能を備えている。
また、操作パネル１０Ａは、その前面中央部付近に液晶パネルからなる表示部３０を有する。
【００１４】
操作パネル１０Ｂは、図４（Ｂ）に示すように、操作パネル１０Ａからディスプレイ用のボタン６３及びイルミネーション選択用のボタン６４を削除した構成を有し、操作パネル１０Ａとはカーオーディオ本体１００に対する操作機能が若干異なっている。
【００１５】
操作パネル１０Ｃは、図４（Ｃ）に示すように、操作パネル１０Ｂからさらに複数のボタンが削除されていると共に表示部３０よりも拡大された表示部３０Ａを備えており、操作パネル１０Ａ，１０Ｂとはカーオーディオ本体１００に対する操作機能が大きく異なっている。また、操作パネル１０Ｃは、スイッチやボタンの数が削減されていると共に大面積の表示部３０Ａを備えているので、操作性を重視した構成となっている。
【００１６】
操作パネル１０Ｄは、操作用のボタン・スイッチ群５０が電源スイッチ５１及びＣＤイジェクト用のボタン５６に限定されているが、その代わりに、タッチパネル付の表示部３０Ｂを備えている。すなわち、ボタンやスイッチ操作に代えてタッチパネル操作によりカーオーディオ本体１００を操作できるようになっている。
【００１７】
次に、操作パネル１０及びカーオーディオ本体１００の電気系の構成について説明する。
操作パネル１０は、図５に示すように、プロセッサやメモリ等のハードウエアと所要のソフトウエア等から構成される制御部２０、上記した表示部３０、不揮発性半導体メモリからなり後述する認証情報（操作情報）等を記憶する外部メモリ４０、上記した操作ボタン・スイッチ群５０、コネクタＣＮ１等を備えている。
【００１８】
カーオーディオ本体１００は、図５に示すように、プロセッサやメモリ等のハードウエアと所要のソフトウエア等から構成される制御部１１０、不揮発性半導体メモリからなり後述する認証情報（操作情報）等を記憶する外部メモリ１２０、ＣＤ再生部１３０、チューナ部１４０、音声出力部１５０、上記のコネクタＣＮ１が接続されるコネクタＣＮ２等から構成される。
【００１９】
制御部１１０は、カーオーディオ本体１００を総合的に制御すると共に、後述するように、操作パネル１０がカーオーディオ本体１００に装着された際に、カーオーディオ本体１００の操作を可能にするための認証処理等を実行する。
【００２０】
ＣＤ再生部１３０は、上記した操作ボタン・スイッチ群５０の操作に応じて制御部１１０から指令を受け、ＣＤの再生処理等を実行する。再生された音声データは、音声出力部１５０に入力され、車両に設けられたスピーカＳＰから出力される。
チューナ部１４０は、上記した操作ボタン・スイッチ群５０の操作に応じて制御部１１０から指令を受け、選局された周波数の電波（ＡＭ波、ＦＭ波等）を音声データを復調して音声データとする。この音声データが音声出力部１５０に入力されてスピーカＳＰから出力される。
【００２１】
コネクタＣＮ１とコネクタＣＮ２とが接続されると、操作パネル１０の制御部２０とカーオーディオ本体１００の制御部１１０との間で各種のデータの授受が可能になる。例えば、操作ボタン・スイッチ群５０により形成された信号は、制御部２０からコネクタＣＮ１，ＣＮ２を介して制御部１１０へ送信され、この信号に基づいてカーオーディオ本体１００の各種制御が実行される。
【００２２】
次に、操作パネル１０及びカーオーディオ本体１００における処理について図６及び図７に示すフローチャートを参照して説明する。尚、図６はカーオーディオ本体１００の制御部１１０の処理を示すフローチャート、及び図７は操作パネル１０の制御部２０の処理を示すフローチャートである。
【００２３】
カーオーディオ本体１００は、図６に示す処理ルーチンを所定時間間隔で実行しており、先ず、操作パネル１０が装着されたかを判断する（ステップＳＴ１）。操作パネル１０が装着されたかは、例えば、コネクタＣＮ１，ＣＮ２の電気的接続の有無から判断できる。そして、操作パネル１０が装着されていない場合には、処理を終了する。
【００２４】
制御部１１０は、操作パネル１０が装着されると、この操作パネル１０に対してカーオーディオ本体１００に互換性があるか、すなわち、この操作パネル１０によりカーオーディオ本体１００が操作可能であるかを判断する（ステップＳＴ２）。この判断は、ハードウエアあるいはソフトウエアを用いてすることができる。尚、操作パネル１０はカーオーディオ本体１００に装着されると、カーオーディオ本体１００側から電力が供給されて、制御部２０による処理が可能な状態になる。
【００２５】
制御部１１０は、互換性がないと判断した場合には、その旨の警告を操作パネル１０に対して送る（ステップＳＴ３）。
制御部１１０は、操作パネル１０に対して互換性があると判断した場合には、操作パネル１０の外部メモリ４０に記憶された認証情報を読み出す（ステップＳＴ４）。この認証情報は、例えば、初期状態においては、所定の初期値が設定され、操作パネル１０により既に操作がされている場合には、操作ボタン・スイッチ群５０の操作情報で形成されている。操作ボタン・スイッチ群５０の操作情報とは、後述するように、操作パネル１０の前回の使用時において設定、調整された動作環境情報、例えば、ソース選択情報（ＣＤ、ラジオ等）、音量、プリセット、イコライザの調整量等で構成される。
【００２６】
次いで、制御部１１０は、カーオーディオ本体１００の外部メモリ１２０に記憶された認証情報を読み出す（ステップＳＴ５）。この認証情報も、操作パネル１０の外部メモリ４０に記憶された認証情報と同様の情報で構成される。
そして、制御部１１０は、外部メモリ４０と外部メモリ１２０とから読み出した認証情報が一致するか照合する（ステップＳＴ６）。両者が一致するケースとしては、外部メモリ４０と外部メモリ１２０とに同じ操作情報が記憶されている場合と、外部メモリ１２０の値が初期値の場合である。
【００２７】
制御部１１０は、外部メモリ４０と外部メモリ１２０とに記憶された情報（外部メモリ１２０が初期値である場合を除く）が一致しない場合には、その旨の警告を操作パネル１０に送信し（ステップＳＴ３）、処理を終了する。これにより、カーオーディオ本体１００は、操作パネル１０による操作を受け付けず、カーオーディオ本体１００は動作しないことになる。
【００２８】
制御部１１０は、外部メモリ４０と外部メモリ１２０とに記憶された情報が一致する場合に、すなわち、操作パネル１０を認証した場合には、外部メモリ４０に記憶された操作情報に基づいて、カーオーディオ本体１００の動作環境を設定する（ステップＳＴ７）。すなわち、カーオーディオ本体１００に今回装着された操作パネル１０が前回と同じものである場合には、前回の操作により設定した動作環境（ソース選択情報、音量、プリセット、イコライザの調整量等）がそのまま復元される。
【００２９】
次いで、制御部１１０は、操作パネル１０から操作情報が入力されたかを判断し（ステップＳＴ８）、操作情報が入力された場合には、その内容に応じた処理、例えば、ソースの切り替え、音量調整等の処理を実行する（ステップＳＴ９）。
制御部１１０は、操作情報に応じた処理を実行すると共に、操作情報を認証情報として外部メモリ１２０に記憶する（ステップＳＴ１０）。したがって、操作パネル１０の操作がある毎に認証情報（操作情報）が更新される。
【００３０】
次いで、制御部１１０は、操作パネル１０がカーオーディオ本体１００から取り外されたかを判断し、取り外された場合には、処理を終了し、取り外されない場合には、ステップＳＴ８の処理を繰り返す。
【００３１】
制御部１１０は、ステップＳＴ８において、操作パネル１０から操作情報が入力されない場合には、操作パネル１０に設けられた電源スイッチ５１（カーオーディオ本体１００をオン／オフするためのスイッチ）がオフされたかを判断し（ステップＳＴ１２）、オフされた場合には、外部メモリ１２０に記憶された認証情報を所定の初期値に戻す初期化処理を実行する（ステップＳＴ１３）。すなわち、制御部１１０は、操作パネル１０Ａをカーオーディオ本体１００から取り外す際のカーオーディオ本体１００の通電状態に応じて、操作パネル１０Ａの外部メモリ４０内に記憶された情報の外部メモリ１２０への書き込みを制御する。
初期化処理は、例えば、今まで操作パネル１０Ａを使用していたが、これに代えて新たに他の操作パネル１０Ｂ〜１０Ｄのいずれかを使用する場合に実行する。
【００３２】
操作パネル１０の制御部２０の処理について説明すると、図７に示すように、カーオーディオ本体１００から互換性の無い旨の警告があるかを判断し、警告があった場合には、その警告内容を表示部３０へ表示させ（ステップＳＴ２３）、その後、処理を終了する。これにより、ユーザに操作パネル１０が使用できないことを報せることができる。尚、表示部３０以外に、音声等により報知することもできる。
【００３３】
制御部２０は、カーオーディオ本体１００が操作パネル１０に対して互換性がある場合には、カーオーディオ本体１００から上記した認証されない旨の警告がないかを判断する（ステップＳＴ２２）。操作パネル１０がカーオーディオ本体１００により認証されない場合には、その警告内容を表示部３０へ表示させ（ステップＳＴ２３）、その後、処理を終了する。
【００３４】
制御部２０は、ステップＳＴ２２において、操作パネル１０が認証された場合には、ユーザによる操作ボタン・スイッチ群５０への操作入力があるかを判断し（ステップＳＴ２４）、操作入力があった場合には、その操作情報をカーオーディオ本体１００へ送信し（ステップＳＴ２５）、カーオーディオ本体１００へ送信したのと同一の操作情報を自らの外部メモリ４０へ認証情報及び動作環境情報として記憶させる（ステップＳＴ２６）。したがって、ユーザによる操作ボタン・スイッチ群５０への操作入力がある毎に、外部メモリ４０，１２０は同一の情報で更新される。
【００３５】
次いで、制御部２０は、操作パネル１０の電源スイッチ５１がオフされたかを判断する（ステップＳＴ２７）。
制御部２０は、電源スイッチ５１がオフされた場合には処理を終了し、ステップＳＴ２７において、電源スイッチ５１がオフされない場合には、ステップＳＴ２４に戻って上記した処理を繰り返す。
【００３６】
本実施形態では、ユーザが降車する際に、電源スイッチ５１をオフすることなく、操作パネル１０を取り外して車外に携行すれば、カーオーディオ本体１００に他の操作パネルを装着したとしてもカーオーディオ本体１００を動作させることができない。カーオーディオ本体１００を再び動作させたい場合には、操作パネル１０に記憶された認証情報が必ず必要となる。仮に、カーオーディオ本体１００が盗難に遭った場合であっても、操作パネル１０の外部メモリ４０に記憶された操作情報（認証情報）がなければカーオーディオ本体１００を動作させることができない。また、認証情報は、ユーザの操作に応じて形成されるので、その偽造は非常に困難である。
【００３７】
また、本実施形態では、例えば、操作パネル１０Ａ〜１０Ｄのような様々な操作機能の操作パネルに交換できるので、カスタマイズされた種々の操作パネル１０を提供すれば、多種多様なユーザの要求に柔軟に応えることができる。
【００３８】
上記実施形態では、操作情報をそのまま認証情報とすると共に、認証情報と操作情報と動作環境情報とを一致させた場合を例に挙げて説明したが、これに限定されるわけではなく、例えば、操作情報の一部を認証情報とする、あるいは、操作情報を所定の方式で認証情報に変換する等して、認証情報と動作環境情報とを別々に管理する構成とすることも可能である。
また、上記実施形態では、操作情報を認証情報として使用した場合について説明したが、操作情報とは関係なく認証情報を与える構成とすることも可能である。
【００３９】
上記実施形態では、操作パネルの操作がある毎に外部メモリ４０，１２０の情報を更新する構成としたが、これに限定されるわけではなく、情報の書き換えのタイミングは適宜変更できる。
【００４０】
上記実施形態では、認証情報（操作情報）を記憶するために不揮発性半導体メモリを用いたが、これに限定されるわけではなく、例えば、ハードディスクドライブ等の他の記憶装置を用いることも可能である。
また、認証情報（操作情報）を記憶する際にこれらの情報を暗号化して記憶することも可能である。
【００４１】
上記実施形態では、カーオーディオ本体１００が４つの操作パネル１０Ａ〜１０Ｄに対して互換性をもつ場合について説明したが、これに限定されるわけではなく、多種多様な操作パネルに対して互換性をもつ構成とすることができる。
【００４２】
上記実施形態では、車載用電子機器としてカーオーディオを例に挙げて説明したが、これに限定されるわけではなく、カーナビゲーションあるいはナビゲーション機能とオーディオ機能が複合された機器等に対しても本発明を適用可能である。
【００４３】
また、操作パネルがカーオーディオの前面を構成する場合について説明したが、カーオーディオの前面の一部に操作パネルが着脱可能に設けられた構成とすることも可能である。
【００４４】
上記実施形態では、カーオーディオの記録媒体として、ＣＤの場合について説明したが、これに限定されるわけではなく、例えば、ＭＤ（ミニディスク）、ＤＶＤ（デジタルバーサタイルディスク）等の他の記録媒体の場合にも適用可能である。
【図面の簡単な説明】
【００４５】
【図１】本発明の一実施形態に係るカーオーディオの外観斜視図である。
【図２】カーオーディオの正面図である。
【図３】カーオーディオの操作パネルを取り外した状態の外観斜視図である。
【図４】操作機能の異なる複数の操作パネルの正面図である。
【図５】カーオーディオの機能ブロック図である。
【図６】操作パネルにおける処理の一例を示すフローチャートである。
【図７】カーオーディオにおける処理の一例を示すフローチャートである。
【符号の説明】
【００４６】
１０，１０Ａ〜１０Ｄ…操作パネル
２０…制御部
３０…表示部
４０…外部メモリ
５０…操作ボタン・スイッチ群
１００…カーオーディオ本体
１１０…制御部
１２０…外部メモリ
１３０…ＣＤ再生部
１４０…チューナ部
１５０…音声出力部
【図１】
2007326463.tif 000003
【図２】
2007326463.tif 000004
【図３】
2007326463.tif 000005
【図４】
2007326463.tif 000006
【図５】
2007326463.tif 000007
【図６】
2007326463.tif 000008
【図７】
2007326463.tif 000009